(57)【特許請求の範囲】
【請求項１】
眼科用放射のための装置であって、
眼球に対して方向付け可能な光路上で出力する放射及び取得される放射のうち少なくとも一つに適合された放射インターフェースと、
出力する放射を複数の光ブランチから前記光路に接続し、取得した放射を前記光路から前記複数の光ブランチに接続し、前記取得した放射はスペクトル的に前記複数の光ブランチに分割され、該光ブランチのそれぞれが異なるスペクトル範囲を有するように適合された光ブランチカプラと、
それぞれが前記光ブランチのうち一つ以上と接続するように配置された複数の眼科ユニットとを含み、
前記眼科ユニットは、光干渉断層撮影測定を実行するように適合された光干渉断層撮影ユニット、すなわちＯＣＴユニットと、前記取得した放射の波面を測定するように適合された波面ユニットとを含み、
前記ＯＣＴユニット及び前記波面ユニットは、広帯域光源を共有し、前記波面ユニットは、更に、狭帯域フィルターを前記広帯域光源に選択的に適用するように適合されたものである、装置。
【請求項２】
前記光ブランチカプラは、それぞれが異なるスペクトル透過率又はスペクトル反射率を有する一つ以上のビームスプリッターを含むものであることを特徴とする請求項１に記載の装置。
【請求項３】
前記光ブランチカプラが多分岐ダイクロイックプリズムを含むものであることを特徴とする請求項１又は請求項２に記載の装置。
【請求項４】
前記多分岐ダイクロイックプリズムはガラスプリズムを含み、該ガラスプリズムのそれぞれは、前記放射の波長に依存して放射を透過又は反射するように適合された一つ以上の光学薄膜を備えた、一つ以上の光インターフェースを有するものであることを特徴とする請求項３に記載の装置。
【請求項５】
前記多分岐ダイクロイックプリズムは、ダイクロイック結晶及び複屈折性結晶のうち一つ以上を含むものであることを特徴とする請求項３又は請求項４に記載の装置。
【請求項６】
前記ガラスプリズム又は前記結晶の光インターフェースは、互いに直接接触するものであるか又は結合されたものであることを特徴とする請求項４又は請求項５に記載の装置。
【請求項７】
前記複数の眼科ユニットは、同時に動作するように適合されたものであることを特徴とする請求項１から請求項６のいずれか１項に記載の装置。
【請求項８】
二つ以上の前記眼科ユニットが、前記光ブランチの一つに接続するように配置されたものであることを特徴とする請求項１から請求項７のいずれか１項に記載の装置。
【請求項９】
前記眼科ユニットの一つは、眼科治療のため、出力する放射をその光ブランチに入れるように適合されたものであることを特徴とする請求項１から請求項８のいずれか１項に記載の装置。
【請求項１０】
前記眼科ユニットの一つは、眼球の動きを検出すること、固視標を提供すること及び調整視標を提供することのうち少なくとも一つに適合されたものであることを特徴とする請求項１から請求項９のいずれか１項に記載の装置。
【請求項１１】
前記ＯＣＴユニットは、干渉計及び広帯域光源を含み、発光ダイオード、スーパールミネッセントダイオード、スーパーコンティニウム光源、チタンサファイアレーザー及び掃引光源のうち一つ以上を任意に含むものであることを特徴とする請求項１から請求項１０のいずれか１項に記載の装置。
【請求項１２】
前記多分岐ダイクロイックプリズムにおける前記複数の光ブランチの光路長は、ＯＣＴ測定の異なる測定深度に対応して、それぞれ異なる長さであることを特徴とする請求項３から請求項６のいずれか１項に記載の装置。
【請求項１３】
前記眼科ユニットのうち少なくとも一つは、眼球のシャインプルーフの法則による測定を実行するように適合された照明ユニットであることを特徴とする請求項１から請求項１２のいずれか１項に記載の装置。
【請求項１４】
前記眼科ユニットのうち少なくとも一つは、眼球の表面のトポグラフィーを測定するように適合された角膜トポグラフィーユニットであることを特徴とする請求項１から請求項１３のいずれか１項に記載の装置。
【請求項１５】
更に、前記複数の眼科ユニットのそれぞれを制御し、前記複数の眼科ユニットのうち二つ以上によって測定された結果に基づいて最適値を計算するように適合された制御装置を含むものであること特徴とする請求項１から請求項１４のいずれか１項に記載の装置。
【発明の詳細な説明】
【技術分野】
【０００１】
本発明は眼科技術に関する。本発明は、特に、放射を供給する及び／又は放射を分析する眼科用の統合型装置に関する。
【背景技術】
【０００２】
眼科診断のための装置は、非常に特定的な診断用途のために設計されてきた。例えば、各々出願人によって販売されている「ＷａｖｅＬｉｇｈｔ（Ｒ）ＴｏｐｏｌｙｚｅｒＴＭ  ＶａｒｉｏＴＭ」及び「ＷａｖｅＬｉｇｈｔ（Ｒ）ＯｃｕｌｙｚｅｒＴＭＩＩ」は、トポグラフィー測定及びシャインプルーフの法則による測定をそれぞれ提供する。更に、昨今の眼科診断用の装置のうちのいくつかは、一つずつしか適用できない二つの異なる測定技術を内包している。Ｌｕｎｅａｕ／Ｖｉｓｉｏｎｉｘによる「Ｖｉｓｉｏｎｉｘ  Ｌ８０  Ｗａｖｅ＋」はその装置の一例である。
【０００３】
眼科用複合型装置の設備及び配置は、場所をとり、投資と維持の両方にコストがかかるために不利であり、またそのために病院又は診療所における眼科用装置の適用が妨げられる可能性がある。また、患者が別々の装置を用いて複数の測定を受ける場合、終了するまで患者の協力が続けられる。眼科処置をより短時間で完了できるようになれば、患者、並びに、病院、診療所及び健康保険ファンドを含む経済志向性の企業にとって重要な進歩となるだろう。
【発明の概要】
【発明が解決しようとする課題】
【０００４】
従って、本発明は場所をとらず、眼科処置をより迅速に完了する眼科用装置を提供することを目的とする。
【課題を解決するための手段】
【０００５】
この目的は、請求項１に記載の眼科用放射のための装置によって達成される。この装置は、放射インターフェースと光ブランチカプラと複数の眼科ユニットとを含む。放射インターフェースは、光路上で出力する放射及び取得される放射のうち少なくとも一つに適合される。光路は眼球に対して方向付け可能である。光ブランチカプラは出力する放射を複数の光ブランチから光路に接続し、取得した放射を光路から複数の光ブランチに接続するように適合される。取得した放射はスペクトル的に複数の光ブランチに分割される。異なるスペクトル範囲が、それぞれの光ブランチに接続される。それぞれの眼科ユニットは、一つ又は二つ以上の光ブランチに接続するように配置される。
【０００６】
放射インターフェースは放射開口部を有しても良い。放射開口部は、装置のハウジングの開口部によって実現されても良く、透光窓及び入射レンズのうち少なくとも一つを含んでも良い。放射開口部は、光路上で出力する放射及び／又は取得される放射に適合されても良い。異なるスペクトル範囲を光ブランチに接続することは、光路からの取得した放射に関連付けされても良い。
【０００７】
眼科ユニットのそれぞれは、一つ以上の異なるスペクトル範囲で動作することができる。眼科ユニットの動作は、放射の供給及び放射の処理のうち少なくとも一つを含んでも良い。眼科ユニットのそれぞれは、一つ以上の光ブランチに接続するように配置されており、該光ブランチに対応するスペクトル範囲で動作しても良い。スペクトルの分割により、装置は、全く同一の光路を用いて、複数の眼科技術を提供することができる。スペクトルの分割は、上記の異なるスペクトル範囲に従っても良い。一つ又は全ての眼科ユニットの動作は、光学測定を含む測定を含んでも良い。一部又は全ての測定は、光測定軸を決定する光路上で実行されても良い。一部又は全ての眼科ユニットは、光路上でそれらの測定を実行しても良く、異なる眼科技術を提供しても良い。眼科ユニットは、独立して動作させても良い。
【０００８】
有利なことに、所定の実施形態において、一つ以上の眼科処置における多くの工程を、より短時間で完了させることができる。同じ光路を用いることで、装置のよりコンパクトな設計が達成可能になる。更に、本装置は、複数の異なる眼科技術のために、均一のインターフェースを患者に提供することができる。一つの均一なインターフェースは、放射インターフェースによって達成されても良い。装置を複数使用することを避けることができる。装置は、より迅速に眼科処置を完了することができる。より多くの患者が、より速く、より低コストで最新の眼科技術を受けることができる。
【０００９】
特に、本装置は、眼科光学的な又は眼科学的な分析、診断及び／又は治療のための装置であっても良い。分析、診断又は治療は、非接触的であっても良い。光路は、眼球に対して方向付け可能な、装置の唯一の光路であっても良い。出力する放射の複数の光ブランチから光路への接続は、出力する放射の合成であっても良い。取得した放射の光路から光ブランチへの接続は、取得した放射の分解であっても良い。全体を通して、用語「光」若しくは「光学」、又は、接頭辞「光」は、赤外スペクトル、可視スペクトル及び紫外スペクトルのうち少なくとも一つのスペクトル内の電磁放射又は電磁放射を処理する要素を示す。それぞれ一つの眼科ユニットが動作する各スペクトル範囲は、特定の測定のために有用であり得る。眼科ユニットの動作は、取得した放射の分析及び出力する放射の放出のうち少なくとも一つを含むことができる。
【００１０】
異なるスペクトル範囲は、電磁放射の異なる波長（又は周波数）、異なるスペクトル最大値、異なるスペクトル中心、重なり合わないスペクトル範囲、分割されたスペクトル範囲及び分離されたスペクトル範囲のうち少なくとも一つを有していても良い。少なくとも、異なるスペクトル範囲で動作可能な複数の眼科ユニットは、異なるスペクトル範囲へのスペクトル分割に基づいて、別々に設計されても良い。眼科ユニットは所定のスペクトル範囲内で動作するように特定されても良く、該所定のスペクトル範囲でのみ動作しても良い。所定のスペクトル範囲は異なるスペクトル範囲のサブセットであっても良い。利点として、本装置の改良又は眼科ユニットの更なる改良は別々に行うことができる。
【００１１】
これに代わって、又はこれに加えて、眼科ユニット又はそれらの動作は独立していても良い。例えば、第１の眼科ユニットは、第１のスペクトル範囲で励起光を第１の光ブランチ中に放出するように適合された励起光光源を含むことができる。取得した放射は、第２のスペクトル範囲の蛍光を含んでも良い。蛍光は、例えば眼球に塗布された蛍光染色により、励起光によって誘導されても良い。第２の眼科ユニットは蛍光を検出するように適合されても良い。第２の眼科ユニットは、第２のスペクトル範囲に対応する第２の光ブランチと接続されても良い。これに代わって、第２の眼科ユニットは第１の光ブランチに更に接続されても良い。第１の光ブランチは、第１のスペクトル範囲と第２のスペクトル範囲の両方の放射を伝えるものであっても良い。
【００１２】
光カプラは一つ以上のビームスプリッターを含んでも良い。一つ以上のビームスプリッターのそれぞれは、異なるスペクトル透過率及び／又は異なるスペクトル反射率を有しても良い。一般に、スペクトルの分割は、コーティング、層又は薄膜における干渉に基づいても良い。一つ以上のビームスプリッターのそれぞれは、互いに結合された三角ガラスプリズムの一組、部分透過ミラー、部分反射を生じさせる薄いコーティングを有するガラス板、ダイクロイックミラー、薄い誘電体層を有する基板、一連のそれらの層、金属層及び誘電体層が交互に配置された一連の層、並びに、ダイクロイックプリズムのうち一つ以上を含んでも良い。三角ガラスプリズムは二等辺三角及び直角三角ガラスプリズムを含んでも良い。三角ガラスプリズムは、二つずつ結合されても良く、底面で互いに結合されても良い。
【００１３】
光カプラは、ダイクロイックプリズムを含んでも良い。ダイクロイックプリズムは、多分岐性であっても良い（「マルチチャネルダイクロイックプリズム」とも呼ばれる）。一般に、スペクトルの分割は、二色性に基づいて、特に干渉及び／又は複屈折によって、なされることができる。多分岐ダイクロイックプリズムは、放射の波長に依存して、例えば上述したように干渉によって、選択的に放射を透過又は反射するように適合された光コーティングを含む光インターフェースを有する、二つ以上のガラスプリズムを含んでも良い。これに代わって、又はこれに加えて、多分岐ダイクロイックプリズムは、単結晶としてのダイクロイック結晶及び単結晶としての複屈折結晶のうち一つ以上を含んでも良い。多分岐ダイクロイックプリズムは、ダイクロイック結晶又は複屈折結晶からなる一つ以上のプリズムを含んでも良い。ダイクロイック結晶及び複屈折結晶のうち少なくとも一つを含むプリズムは「結晶プリズム」と呼ばれる集団である。結晶又は結晶プリズムは、放射の波長及び放射の偏光のうち少なくとも一つに依存する屈折率を有しても良い。放射の二色性による分割は、減色フィルターと比較してはるかに効率的に行うことができる。このように、例えば照明のために眼球に適用される、出力する放射の強度を低下させることができる。これに代わって、又はこれに加えて、結晶又は結晶プリズムは、放射の波長及び放射の偏光のうち少なくとも一つに依存する吸収率を有しても良い。
【００１４】
プリズム、例えばガラスプリズム及び／又はダイクロイック結晶プリズムの光インターフェースは、互いに直接接触した及び／又は結合された状態で配置されても良い。これによって、光ブランチカプラのよりコンパクトな設計さえも可能になり、またそのために装置のよりコンパクトな設計が可能になる。更に、本発明の装置はより頑丈である。本装置は、所定の相対的な光学部品の配置によって、耐衝撃性がより高いものになり得る。この配置は、例えば装置が移動式装置又は卓上装置であった場合に有利である。
【００１５】
眼科ユニットは同時に動作させることができる。眼科ユニットのいずれかの動作は、取得した放射の分析及び出力する放射の放出のうち少なくとも一つを含んでも良い。結果として、手順のいくつかの工程を並行して行うことができる。このように、眼科診断及び／又は眼科治療に要する時間を短縮することができる。
【００１６】
装置の光ブランチの総数は、２つ、３つ、４つ又は５つであっても良い。光ブランチの数は、光ブランチの一つに接続された眼科ユニットの数に相当し得る。これは、装置の出力としての光路又は放射インターフェースの大きさ及び複雑さを増大させることなく、複数の眼科ユニット及びそれに対応する眼科技術を含むことを考慮している。また、出力用光学部品は、一部又は全ての眼科ユニットによって共有されても良い。出力用光学部品は、光路中に配置されても良い。
【００１７】
また、眼科ユニットのうち二つ以上は、光ブランチの一つに接続するように配置されても良い。これによって、光学素子が共有されても良い。例えば、二つ以上の眼科ユニットに使用される複数の光学素子が共有されても良い。結果として、二つ以上の眼科ユニットを小型化することが可能となり、更に、装置のコンパクトな設計が可能となる。
【００１８】
光ブランチカプラは、光路上に配置されても良い。光ブランチは、光ブランチカプラに対して星型に配置されても良い。同様に、光ブランチに接続された、対応する眼科ユニットもまた星型に配置されても良い。光ブランチの光路長は調整可能であっても良く、或いは固定されても良い。それぞれの光ブランチの光路長は均等であっても良く、或いは平衡化されても良い。光ブランチカプラは、例えば各眼科ユニット間の中心に配置されても良い。眼科ユニットは、光ブランチカプラに対して２次元的又は３次元的に分配させることができる。光ブランチが３つの場合、光路及び３つの光ブランチはテトラポッド構造に配置されても良い。テトラポッド構造において、光路及び３つの光ブランチ、又は、それらの延長線は、四面体の角を囲んでも良い。眼科ユニットが３つの場合、眼科ユニットは、四面体の４つの頂点のうちの３点に配置されても良い。光ブランチカプラは、四面体の中心に位置しても良い。
【００１９】
放射インターフェースは、開口部又は少なくとも部分的な透過面であっても良い。放射インターフェースは、出力用光学部品、特に対物レンズを含むことができる。特定の実施形態では、例えば、複数の眼科ユニットのうち二つ以上によって光路を眼球に対して方向付けるために使用される光学素子は、眼球の方に向いている一つのインターフェースとして光路上に配置されても良い。これによって、光学素子の数及び装置の大きさを削減することが可能になる。
【００２０】
眼科ユニットのうち一つ以上は、眼科治療のため、出力する放射をその光ブランチに入れるように適合されても良い。入れられた出力する放射は、切除用のレーザー光又は架橋用の紫外光であっても良い。架橋（「硬化」とも呼ばれる）は、光酸化架橋を含んでも良い。ＵＶ−Ａ光は、リボフラビン、ジアジリン基を含む有機分子、又は他の任意適当な架橋剤と共に、架橋のために使用されても良い。これに代わって、又はこれに加えて、装置は、眼球の屈折矯正手術又は円錐角膜の治療を行っても良い。出力する放射は、ＵＶスペクトル、可視スペクトル又はＩＲスペクトル内であっても良い。出力する放射は、例えば、フェムト秒レーザー、ピコ秒レーザー又はアト秒レーザーのような超短パルスレーザーによって生成されても良い。有利なことに、手術又は治療の結果は、他の眼科ユニットのうち一つ以上によってリアルタイムで観測又は数値化されることができる。
【００２１】
眼科ユニットの一つは、眼球の位置を検出すること、眼球の動きを検出すること、固視標を提供すること及び／又は患者が焦点を合わせることができる調節視標を提供することのうち少なくとも一つに適合された固定ユニットを含んでも良い。眼球は、瞳孔又は虹彩の画像認識により検査されても良い。固定ユニットによって検出された眼球の位置又は動きに応じて、測定を補正すること又は除くことができる。測定は、他の眼科ユニットのうち一つ以上によって同時に実行されても良い。眼球の位置又は眼球の動きは、固視標又はその仮想イメージによって制御されることができる。固視標又はその仮想イメージは移動可能であっても良い。眼球の調節状態は調節視標又はその仮想イメージによって制御可能であっても良い。調節視標又はその仮想イメージは焦点距離内に移動されることができる。
【００２２】
固定ユニットの光ブランチ、すなわち、固定ユニットに接続された光ブランチは、光ブランチカプラを直接的に通っても良い。これに代わって、眼科治療のために出力する放射を入れる眼科ユニットが、光路に延びる直線上に配置されても良い。両方の場合において、他の光ブランチは、光路に対して側方に延びても良い。これによって、光ブランチカプラを直接的に通る光ブランチ上での反射の数を最小限に抑えることができる。反射の数を最小限に抑えることは、低強度の取得された放射を分析すること又は高強度の出力する放射を放出することに有利である。「低強度」は、角膜の照明強度の５％以下、例えば１％と考えることができる。「高強度」は、角膜切除時の強度又は破壊強度の５０％以上と考えることができる。
【００２３】
眼科ユニットの一つは、光干渉断層撮影（ＯＣＴ）ユニットであっても良い。ＯＣＴユニットは、ＯＣＴ測定を実行するように適合されても良い。ＯＣＴユニットは、低可干渉光源（例えば、時間符号化の周波数領域ＯＣＴのための発光ダイオード（ＬＥＤ）、広帯域光源、スーパーコンティニウム光源、掃引光源、又は、チタンサファイアレーザー若しくはスーパールミネッセントダイオード（ＳＬＤ）等）及び干渉計を含んでも良い。結果として、例えば光低コヒーレンスリフレクトメトリー（ＯＬＣＲ）（本説明ではＯｐｔｉｃａｌ  Ｃｏｈｅｒｅｎｃｅ  Ｐａｃｈｙｍｅｔｒｙ（ＯＣＰ）とも呼ばれる）によって角膜厚マップを測定することができる。
【００２４】
多分岐ダイクロイックプリズム内の光ブランチの光路長はそれぞれ異なっていても良い。それぞれの光ブランチの異なる光路長は、ＯＣＴ測定の異なる侵入深度又は測定層に対応しても良い。空間的に分離された構造又は組織、特に前眼部及び後眼部（例えば、角膜、網膜、水晶体及び他の構造のうち二つ以上）等の空間的に分離された部位は、二つの光ブランチそれぞれの二つの異なる光路長に基づいて、同時に検出されることができる。
【００２５】
眼科ユニットのうち一つ以上は、取得した放射の波面を測定するように適合された波面ユニットであっても良い。波面ユニットは、波面光源及びレンズレットアレイを含んでも良い。例えば、波面ユニット及びＯＣＴユニットは、広帯域光源を共有しても良い。その結果、装置のよりコンパクトな設計を考慮して、ＯＣＴユニットと波面ユニットを小型化することができる。更に、波面ユニットは、波面ユニットが作動した際にその光源に適用することができる狭帯域フィルターを含んでも良い。
【００２６】
ＯＣＴを用いて眼球の網膜及び／又は黄斑を検診しても良い。これに代わって、又はこれに加えて、眼球の軸方向の光路長又は物理的長さを測定するために、又は、加齢性黄斑変性症（ＡＭＤ）を検出するために、ＯＣＴを用いて網膜及び／又は黄斑を検査しても良い。これに代わって、又はこれに加えて、前述の眼球の固定のために、網膜及び／又は黄斑をトレースしても良い。
【００２７】
これに代わって、又はこれに加えて、眼科ユニットのうち一つ以上は、シャインプルーフの法則による測定を実行するように適合されたシャインプルーフユニットであっても良い。シャインプルーフの法則による測定は、前眼房の高さの値、屈折力マップ、角膜背部の形状及び角膜の厚さのうち少なくとも一つを提供しても良い。ＯＣＴを用いて眼球の水晶体、すなわち水晶体の輪郭及び／又は形状を測定しても良い。水晶体の形状は光学的に効率的な形状であっても良い。
【００２８】
眼科ユニットのうち一つ以上は、眼球の角膜の表面、特に角膜の前面のトポグラフィーを測定するように適合された角膜トポグラフィーユニットであっても良い。これに代わって、又はこれに加えて、眼科ユニットのうち一つ以上は、眼球の角膜の表面、特に角膜の前面の曲率を測定するように適合されたケラトメーターユニットであっても良い。
【００２９】
また、眼科ユニットのうち一つ以上は、眼球のスリット照明用の放射を生成するように適合された照明ユニットであっても良い。角膜トポグラフィーユニット、ケラトメーターユニット及び照明ユニットのうち少なくとも一つは、強度パターンを投影する、出力する放射を生成するように適合されたプロジェクターを含んでも良い。シャインプルーフユニット、角膜トポグラフィーユニット、ケラトメーターユニット及び照明ユニットのうち二つ以上は、一のプロジェクターを共有しても良い。プロジェクターは、マイクロディスプレイ又はマイクロミラーアレイを含んでも良い。
【００３０】
本装置は、更に、複数の眼科ユニットのそれぞれを制御するように適合された制御装置を含んでも良い。プロジェクターは、制御装置によって提供されたデジタル画像信号に応答して、強度パターンを投影するように適合されても良い。制御装置は、更に、複数の眼科ユニットのうち二つ以上によって測定された結果に基づいて最適値を計算するように適合されても良い。最適化は、結果の平均値又は結果の最尤法による計算値を含んでも良い。それぞれの眼科ユニットの結果は、正確度又は精度に応じて重み付けされても良い。正確度又は精度は、眼科ユニット及び／又はその個々の結果によって決定されても良い。異なる眼科ユニットは異なる眼科技術を適用しても良い。
【図面の簡単な説明】
【００３１】
限定ではなく図示のために、本願で提供される技術の更なる態様、利点及び特徴が以下の実施形態の例及び図面の説明から明らかになる。
【図１】眼科用放射のための装置の第１の実施形態を示す概略図である。
【図２】眼科用放射のための装置の第２の実施形態を示す概略図である。
【図３】眼科用放射のための装置の第３の実施形態を示す概略図である。
【図４】図１及び図２の装置の各実施形態に含まれる光ブランチカプラを概略的に示す断面図である。
【図５ａ−５ｂ】光ブランチカプラにおける放射の合成（ａ）と分解（ｂ）を示す概略図である。
【図６ａ】それぞれ３つ及び２つの光ブランチに接続するように適合された２つのブランチカプラを概略的に示す斜視図である。
【図６ｂ】それぞれ４つ及び５つの光ブランチに接続するように適合された２つのブランチカプラを概略的に示す斜視図である。
【発明を実施するための形態】
【００３２】
図１は、眼科用放射のための装置１００における光学部品の機能的な配置を示す概略図である。全体を通して、同じ参照符号は同一の若しくは代替的な特徴、又は、構成要素を示す。装置１００は、放射インターフェース１０２（例えば、放射出口）、光ブランチカプラ１０４及び複数の眼科ユニット１０６、１０８、１１０及び１１２を含む。装置は、患者の頭部のための支持面又は接触面１１３を含む。支持面又は接触面は、装置１００又は放射インターフェース１０２に対する眼球１０の位置を決定する。
【００３３】
図１に示される実施形態において、眼科ユニット１０６は、眼球に向かうスリットランプ照明のためのプロジェクター１１４を含む照明ユニットである。プロジェクター１１４は、光源１１５ａ（例えば、一つ以上のＬＥＤ）及びマイクロディスプレイ１１５ｂを含む。マイクロディスプレイ１１５ｂは、基板材料としてシリコンチップと、基板材料上に集積したドライバを有するアクティブマトリクスのアドレス指定方式の電子機器を含むことができる。光源は、シリコンチップ上の電極によって制御することができる、シリコンチップ上の液晶用バックライトを放出することができる。これに代わって、シリコンチップは、デジタルマイクロミラーデバイス（ＤＭＤ）又はデジタルライトプロセッシング（ＤＬＰ）デバイスとも呼ばれる、傾斜可能なミラーの配列を支持することができる。シリコンチップ上の制御可能なセグメントの形状は、一組の同心リング（「プラチドリング」とも呼ばれる）、（スリットランプ照明のために選択的に作動される）一組の平行なストライプ及び画素のマトリクスのうち少なくとも一つを含むことができる。画素のマトリクスは、デジタル画像信号に応答して、一組のリング、一組の平行なストライプ又はデジタル画像信号により決定される光強度パターンを選択的に生成する。照明ユニット１０６は、光ブランチカプラ１０４の第１の光ブランチ１１８内に光強度パターンを投影するように適合された光学部品１１６を更に含む。光学部品１１６の焦点距離は可変である。焦点距離は、眼球１０の表面に手動で設定されること又は自動で調整されることができる。光学部品１１６は、フィルター、コリメータ、偏光子及び位相板のうち一つ以上を含むことができる。
【００３４】
図１の実施形態に示される光ブランチカプラ１０４は、３つのブランチ（又はチャネル）を提供する。第１の光ブランチ１１８は、照明ユニット１０６に接続される。第２の光ブランチ１２０は、図１に示される実施形態において固定ユニットである、又は固定ユニットを含む眼科ユニット１０８に接続される。第３の光ブランチ１２２は、眼科ユニット１１０及び眼科ユニット１１２の両方に接続される。図１に示される実施形態において、眼科ユニット１１０は波面ユニットであり、眼科ユニット１１２は光干渉断層撮影ユニット、すなわちＯＣＴユニットである。
【００３５】
後に図４から図６を参照してより詳細に説明するように、光ブランチカプラ１０４は、光ブランチ１１８、１２０及び１２２のそれぞれから放射を受け取るように適合される。光ブランチ１１８、１２０及び１２２のそれぞれは特定のスペクトル範囲を有する。光ブランチ１１８、１２０及び１２２の放射は、光ブランチカプラ１０４によって単一の光路１２４に合成される。合成された放射は、光路１２４上の眼球１０の方向に向けられた放射インターフェース１０２で出力される。
【００３６】
図１に示される実施形態において、放射インターフェース１０２は、光路１２４上に配置されたインターフェース用光学部品１２６を含む。光学部品１２６は、出力される放射の方向に対して光ブランチカプラ１０４の後方に配置される。インターフェース用光学部品１２６は、光路１２４上で放射（例えば、眼球１０から放出された光又は戻ってきた光）を集める又は取得するように適合される。
【００３７】
取得された放射は光ブランチカプラ１０４に入り、該光ブランチカプラによって、特定のスペクトル範囲に従い、光ブランチ１１８、１２０及び１２２のうち対応する１つのブランチにスペクトル的に分割される。図１に示される実施形態において、光ブランチカプラは、３つのダイクロイックプリズム１２８、１３０及び１３２を含む多分岐ダイクロイックプリズムである。ダイクロイックプリズム１２８、１３０及び１３２はそれぞれ、光インターフェース１３４及び１３６の位置で二つ一組で結合される。このように、多分岐ダイクロイックプリズムは、統合型光ブランチカプラ１０４を形成する。光路１２４上で取得された放射は、ダイクロイックプリズム１３２を通過して、ダイクロイックプリズム１３０における光インターフェース１３６で二つの中間ブランチに分割される。二つの中間ブランチのうち一方は、ダイクロイックプリズム１２８と１３０の間の光インターフェース１３４で部分的に反射される。この中間ブランチの反射部分は、第３の光ブランチ１２２を定める。この中間ブランチの透過部分は、プリズム１２８を通過して第２の光ブランチ１２０を定める。二つの中間ブランチのうちのもう一方は、光インターフェース１３４を通過してダイクロイックプリズム１２８の底面１３８で（内部全反射により）反射される。全反射された中間ブランチは第１の光ブランチ１１８を定める。
【００３８】
光路１２４の二つの中間ブランチへの分割は、放射の波長に依存する。その結果、光インターフェース１３６によって第１のスペクトル分割がなされる。光インターフェース１３４での部分反射と部分透過もまた放射の波長に依存する。その結果、部分反射と部分透過によって更なるスペクトル分割がなされる。結果として、（放射インターフェース１０２を介して）光路１２４上で光ブランチカプラ１０４に入射する、取得された放射は、３つの光ブランチ１１８、１２０及び１２２にスペクトル的に分解される。
【００３９】
光ブランチ１１８、１２０及び１２２のいずれかに接続されている各眼科ユニット１０６、１０８、１１０及び１１２は、対応する光ブランチの特定スペクトル範囲内の取得された放射を分析すること、及び、該スペクトル範囲内の出力される放射を対応する光ブランチに放出することのうち少なくとも一方を行う。図１に示される実施形態において、照明ユニット１０６は、例えば４７５ｎｍの波長で光を放出する。固定ユニット１０８は、例えば５３２ｎｍの波長で光を放出する。波面ユニット１１０は、例えば、８１０ｎｍで放射を放出する。ＯＣＴユニット１１２は、例えば７６０ｎｍから８６０ｎｍ又は７６０ｎｍから９６０ｎｍのスペクトル範囲で広帯域放射を放出する。光ブランチカプラ１０４は、光路１２４上で取得された放射を、例えば（約３９０ｎｍで短波長を切り捨てた）５００ｎｍまでのスペクトル範囲を含む第１の光ブランチ１１８と、例えば５００ｎｍから７５０ｎｍのスペクトル範囲の第２の光ブランチ１２０と、例えば（約９００ｎｍ、９６０ｎｍ又は１０００ｎｍで長波長を切り捨てた）７５０ｎｍより上のスペクトル範囲を含む第３の光ブランチ１２２に分割するように適合される。
【００４０】
装置１００は、信号線１４１、１４３、１５０、１６２をそれぞれ介して眼科ユニット１０６、１０８、１１０及び１１２の各々に電気的に接続された制御装置１４０を更に含む。制御装置１４０は、中央処理装置（ＣＰＵ）１４０ａ及びグラフィックスエンジン１４０ｂを含む。グラフィックスエンジン１４０ｂは、照明ユニット１０６に繋がる照明信号線１４１上にデジタル画像信号を生成する。照明ユニット１０６のプロジェクター１１４は、そのデジタル画像信号に対応する２次元的光強度パターンを生成する。デジタル画像は、第１の光ブランチ１１８中の投影用光学部品１１６によって、延いては光路１２４中の光ブランチカプラ１０４によって投影される。投影用光学部品１１６の焦点距離は、眼球１０の表面上にデジタル画像を投影するように調整される。このように、照明ユニット１０６は、デジタルスリットランプの機能を提供する。制御装置１４０は、使用者が眼球１０上でスリット照明の位置を動かすこと及びスリット照明を３６０°回転させることを可能にする。
【００４１】
拡張された実施形態において（不図示）、照明ユニット１０６は、プロジェクター１１４のスペクトル範囲内で眼球から反射された放射を取得するように適合されたデジタルカメラ（不図示）を更に含む。実施形態の変形例において、２つ又は３つのカメラが、三角測量のために配置される。制御装置１４０は、眼球１０、特に眼球の角膜の前面上に、プラチドリング又は格子パターンを投影するプロジェクターを制御するように適合される。制御装置１４０は、デジタルカメラで撮影されたデジタル画像を分析し、角膜の前面の高さの値又は曲率値を数千回測定するように適合される。このように、拡張された実施形態における照明ユニット１０６は、角膜トポグラファー（「ビデオケラトグラフ」とも呼ばれる）機能を提供する。
【００４２】
更に、制御装置１４０は、照射ユニット１０６によって眼球１０上に投影されたデジタル画像のサイズを変更するように適合される。（同じ）画像は、異なるサイズで角膜上に投影される。カメラは、異なるサイズで角膜に投影された画像の反射光及び／又は後方散乱光を取得する。制御装置１４０のＣＰＵ１４０ａは、一般的なレンズの公式を用いて、取得された反射光及び／又は後方散乱光に基づき、角膜の前面の曲率を計算するように適合される。このように、照明ユニット１０６は、ケラトメーター又はオプタルモメーターの機能も提供する。
【００４３】
固定ユニット１０８は、患者に固視標を提供する固視光源１４２を含む。固定ユニットは、調節用光学部品１４４を任意に含む。調節用光学部品の焦点距離及び／又は非点収差補正は、可変的であり、制御装置１４０によって制御される。このように、装置１００は、眼球１０の固定又は方位を制御する固視標、及び、眼球１０の調節を制御するための調節視標の両方を（単一の画像として）提供することができる。
【００４４】
波面ユニット１１０は、広帯域光源１４６を含む。図１に示される実施形態において、広帯域光源１４６は、８１０±１００ｎｍのスペクトルをカバーする、スーパールミネッセントダイオード（ＳＬＤ）又は別の任意適当な広帯域光源である。代替的な中心波長は８００ｎｍ及び８４０ｎｍを（±１００ｎｍの帯域幅で）含む。波面ユニット１１０は、狭帯域フィルター１４８を更に含む。狭帯域フィルター１４８のスペクトル透過率は、（図１に示される実施形態では８１０ｎｍである）中心波長で鋭いピークを有する。狭帯域フィルター１４８の帯域幅は、１０ｎｍ以下、例えば５ｎｍの半値全幅（ＦＷＨＭ）によって特徴づけられる。狭帯域フィルター１４８は、第３の光ブランチ１２２の外側の無効位置、及び、第３の光ブランチ１２２上で狭帯域フィルター１４８が中心に配置される有効位置の間で回旋可能である。実施形態の例において、アクチュエータは狭帯域フィルター１４８の回旋運動を誘導するように適合される。アクチュエータは、制御装置１４０によって与えられる波面信号ライン１５０上の有効化信号に応答して、狭帯域フィルター１４８を有効位置に回旋させる。波面ユニット１１０は、有効位置及び完全に第３の光ブランチ１２２の外側にある無効位置の間を回旋可能な部分透過ミラー１５２を更に含む。ミラー１５２の有効位置において、ミラー１５２の作用面は、第３の光ブランチ１２２に対して約４５°の入射角度で配置される。実施形態の例において、アクチュエータは、ミラー１５２の回旋運動を誘導する。狭帯域フィルター１４８の運動のためのアクチュエータ及びミラー１５２の運動のためのアクチュエータは、狭帯域フィルター１４８及びミラー１５２の両方の同期運動のために電気的に接続される。これに代わって、狭帯域フィルター１４８のアクチュエータ及びミラー１５２のアクチュエータは、狭帯域フィルター１４８及びミラー１５２の運動が、機械的に連結されるか又は光学的に決定される一つのアクチュエータである。
【００４５】
光源１４６及び狭帯域フィルター１４８は、波面の信号線１５０上の有効化信号に応答して、第３の光ブランチ１２２上で出力する放射として中心波長を有する光を生成する。この出力する放射は、少なくとも部分的に部分透過ミラー１５２を通過し、光ブランチカプラ１０４によって他の光ブランチ１１８及び１２０上で出力する放射と組み合わせられ又は組み合わせ可能であり、光路１２４上の放射インターフェース１０２で出力される。波面ユニット１１０の出力する放射は、眼球１０の網膜における仮想光源を作成するように適合される。
【００４６】
このように、波面ユニット１１０の出力する放射は、眼球１０から出る二次放射を誘導する。装置１００は、光路１２４上の二次放射を少なくとも部分的に取得する。波面ユニット１１０によって誘導されて、取得された放射は、波面ユニット１１０の出力する放射と本質的に同じ波長を有する。結果として、光ブランチカプラ１０４は、波面ユニット１１０の出力する放射によって誘導されて、取得された放射を第３の光ブランチ１２２に導く。部分透過ミラー１５２は、取得された放射をサイドブランチ１５４に部分的に反射する。波面ユニットは、コリメータ１５６、例えば、単一のコリメータレンズを更に含む。コリメータ１５６は、理想的な仮想光源の理想的な取得される放射を平行にするように適合される。より具体的には、コリメータは、取得された波面（すなわち、球状の波面又は理想的な点光源の波面）を平面状の波面にイメージングするように適合される。縮小された実施形態では、コリメータ１５６は省略される。
【００４７】
波面ユニット１１０は、レンズレットアレイ１５８及びイメージセンサー１５９を更に含む。コリメータ１５６、レンズレットアレイ１５８及びイメージセンサー１５９は、サイドブランチ１５４上に順番に配置される。レンズレットアレイ１５８の各レンズレットは、集束レンズである。レンズレットアレイ１５８のレンズレットは、共通の焦点面を有する。イメージセンサー１５９は、共通の焦点面に配置される。理想的な仮想光源からの理想的な取得される放射がイメージセンサー１５９上に理想的なスポットダイアグラムを生成する一方、理想的なスポットダイアグラムの偏差は、取得される放射の波面の偏差に相当する。より具体的には、（理想的なスポットダイアグラムに対する）スポットダイアグラムのスポットの横方向への移動は、取得される放射の波面の局所的な傾き又は変化に対応する。イメージセンサー１５９からのデジタル画像信号は、波面信号線１５０上で制御装置１４０に送られる。制御装置１４０は、イメージセンサー１５９からのデジタル画像信号に基づいて、眼球１０の屈折力を導出するように更に適合される。（制御装置１４０により制御された時）波面ユニット１１０は眼球１０の波面測定を提供する。波面ユニット１１０は、収差計ユニットとも呼ばれる。制御装置１４０は、イメージセンサー１５９からのデジタル画像信号に基づいて、補正成分として（遠視又は近視の場合）球状成分、（乱視の場合）円筒形状成分及び／又は（円筒形状成分の）軸方向成分を決定するように更に適合される。
【００４８】
ＯＣＴユニット１１２は、広帯域光源１４６及び干渉計１６０を含む。ＯＣＴユニットは、制御装置１４０からのＯＣＴ信号線１６２上のＯＣＴ有効化信号に応答して、動作可能になる。制御装置１４０は、ＯＣＴ信号線１６２にＯＣＴ有効化信号を送るより先に、波面信号線１５０に無効化信号を送る。このように、広帯域光源１４６は半値全幅（ＦＷＨＭ）の帯域幅が１００ｎｍ以上の放射を放出する。第３の光ブランチ１２２上で出力する放射は、（数μｍの可干渉距離に相当する）低い時間的コヒーレンスを有する。
【００４９】
干渉計１６０は、部分透過ミラー１６４、参照ブランチ１６６及び参照ブランチ１６６上に垂直に配置された参照ミラー１６８を含む。干渉計１６０は、更に、光センサー１７０を含む。図１に示される実施形態において、参照ブランチ１６６は、広帯域光源１４６によって生成された光のビームを延ばした直線上を通る。光センサー１７０は、（部分透過ミラー１６４を介して繋がる）第３の光ブランチ１２２を延ばした直線上に配置される。参照アクチュエータ（不図示）は参照ミラー１６８に機械的に接続される。参照アクチュエータは参照ブランチ１６６の光路長を調整するように適合される。参照ブランチ１６６の光路長は眼球１０におけるＯＣＴ測定深度を決定する。第３の光ブランチ１２２上で出力するＯＣＴユニット１１２の放射は、光ブランチカプラ１０４を介して放射インターフェース１０２で出力される。ＯＣＴユニット１１２の出力する放射は、眼球１０から反射される放射又は散乱する放射を誘導する。反射された放射又は散乱した放射は、放射インターフェース１０２を介して少なくとも部分的に取得される。光ブランチカプラ１０４は、光路１２４上で取得された、反射された放射又は散乱した放射の成分を第３の光ブランチ１２２に導く。部分透過ミラー１６４を通過した、取得された放射、及び、部分透過ミラー１６４によって反射された参照ブランチ１６６からの参照放射は、光センサー１７０によって検出される。光センサー１７０は、この取得された放射と参照放射との干渉を表す干渉信号を生成する。光センサー１７０は、ＯＣＴ信号線１６２上で制御装置１４０に干渉信号を送る。制御装置１４０はＯＣＴ信号線１６２を介して参照アクチュエータに電気的に接続される。制御装置１４０は、参照ブランチ１６６の光路長を調節するために、参照アクチュエータを制御するように適合される。制御装置１４０は、光センサー１７０からの干渉信号を分析するように更に適合される。制御装置１４０は、例えば、角膜の厚さ、前眼房の深さ、水晶体の深さ、水晶体の位置、眼球の軸方向の長さ及び網膜の厚さを表す干渉信号に基づいて、一つ以上のＯＣＴ測定値を導出する。
【００５０】
ＯＣＴユニット１１２は、反射又は透過によって眼球１０の複数の位置にＯＣＴユニット１１２の出力する放射を導くように適合されたＸＹ走査器を更に含む。ＸＹ走査器は、ＯＣＴ信号線１６２を介して制御装置１４０によって制御される。制御装置１４０は上記複数の位置のそれぞれに対応するＯＣＴ測定値マップを導出するように更に適合される。装置１００の拡張された実施形態において、制御装置１４０は、眼球１０の前部及び／又は背部の３次元画像を生成するように更に適合される。このように、制御装置１４０は、眼科ユニット１０６及び１０８以外の一つ以上の眼科ユニットの動作と並行して、眼球１０の部分のリアルタイム画像を使用者に提供することができる。ＯＣＴ測定値の導出又はその３次元画像の提供の際に、制御装置１４０は、物理的な長さを決定するためにレイトレーシングによって数学的補正を適用する。
【００５１】
装置１００の別の実施形態において、ＯＣＴユニット１１２は、第１の偏光状態（直線的であっても良い）と直交的な第２の偏光状態（直線的であっても良い）を含む出力する放射を生成するように適合される。ＯＣＴユニット１１２は、第３の光ブランチ１２２上に配置された、光ブランチ１２２に垂直な異常軸（又は「光軸」）を有する複屈折結晶（不図示）を含む。第１の偏光状態は、異常軸に平行である。出力する放射及び取得される放射の両方は、（それぞれ、反対方向に）複屈折結晶を通過する。複屈折結晶の光路は、第１の偏光状態と第２の偏光状態に関して、それぞれ異なる光路長を有する。光路差は、長さＬの複屈折結晶を一回通過した際の光路長の差の２倍、又はｎ１及びｎ２をそれぞれ第１の及び第２の偏光状態の屈折率としたときの、２（ｎ１−ｎ２）Ｌに相当する。光センサー１７０は、第１の及び第２の偏光状態のそれぞれについての干渉信号を実質的に同時に検出するように適合される。第１の及び第２の偏光状態に対する干渉信号に基づいた、異なるＯＣＴ測定は、二つのＯＣＴ測定深度を実質的に同時にカバーすることができる。
【００５２】
照明ユニット１０６がシャインプルーフの法則による測定を実行するように適合された装置１００の拡張された実施形態も可能である。この目的のために、眼科ユニット１０６は、シャインプルーフの法則によって導かれた位置に配置されたシャインプルーフのカメラ１３７を更に含む。制御装置１４０は、照明信号線１４１上に、眼球１０上の回転するスリット照明に対応するデジタル画像信号を生成する。制御装置１４０は、シャインプルーフのカメラ１３７から照明信号線１４１上で受け取ったデジタル画像信号を分析するように適合される。分析は、レイトレーシングに基づいて物理的な長さを決定する数学的補正を含む。レイトレーシングは、眼球１０の屈折率の差に基づいて、光路差及び物理的長さの差を、又、同様に直線伝播からの偏差を補正する。制御装置１４０は、シャインプルーフのカメラ１３７のデジタル画像信号に基づいて、眼球１０の前眼房の高さの値を導き出すように適合される。これに代わって、制御装置１４０は、眼球１０の屈折力マップを計算するように適合される。
【００５３】
装置１００の第２の実施形態が図２に示される。第２の実施形態による装置１００は、放射インターフェース１０２が光ブランチカプラ１０４の出力面である（図１に示されるインターフェース用光学部品１２６を含まない）という点で、第１の実施形態と異なる。装置１００は、照明ユニット１０６、固定ユニット１０８、波面ユニット１１０及びＯＣＴユニット１１２を更に含む。波面ユニット１１０は、（レンズレットアレイ１５８及びイメージセンサー１５９の代わりとして）デジタル波面センサー１７２を含む。デジタル波面センサー１７２は、取得された放射を（例えば回折によって）４つのビーム１７６に複製するように適合された２次元回折格子又は格子１７４を含む。４つのビーム１７６はそれらの波面に関して本質的に同一である。各ビーム１７６は、横方向にずれた方向に沿って（すなわち、サイドブランチ１５４の伝播方向に対して小さい角度で）伝播する。４つのオフセットビーム１７６の伝播方向は、サイドブランチ１５４に対して垂直な平面において左下方向、右下方向、左上方向及び右上方向にずらされる（図２にはそのうちの二つが示される）。検出器１７２は、回折格子又は格子１７４と接する位置から生じた、別々にずらされたビーム１７６の干渉信号を検出するように適合される。干渉信号は、波面の相対的位相差、局所的な傾き又は局所的な変化を表す。
【００５４】
図３は、眼科用放射のための装置１００の第３の実施形態を概略的に示す。装置１００は、光路１２４を決定する放射インターフェース１０２、光ブランチカプラ１０４、並びに、複数の眼科ユニット１０６、１０８、１１０及び１１２を含む。眼科ユニットのそれぞれは、第１の実施形態又は第２の実施形態を参照して上述された眼科ユニットに対応させることができる。
【００５５】
図３に示される第３の実施形態による光ブランチカプラ１０４は、上述したブランチカプラ１０４とは異なる。第３の実施形態によると、光ブランチカプラは第１の部分透過ミラー１７８及び第２の部分透過ミラー１８０を含む。第１の部分透過ミラー１７８は、第１の部分透過層で覆われた平面状のガラス板を含む。第１の部分透過ミラー１７８又は第１の部分透過層の透過率Ｔ１（λ）は、出力する放射又は取得される放射の波長λに依存する。第１の透過率Ｔ１は、７５０ｎｍより短い波長に対して本質的に１００％である。一般に、本質的に１００％に等しいとは、９０％より大きいこと、例えば９５％より大きいことを意味する。第１の透過率Ｔ１は約７５０ｎｍで急激に低下する。例えば、第１の透過率Ｔ１は、７１０ｎｍから７９０ｎｍのスペクトル範囲内で９０％より大きい値から１０％未満の値に低下する。第１の透過率Ｔ１は、７９０ｎｍより長い波長λで本質的に０％である。一般に、本質的に０％に等しいとは、１０％未満、例えば５％未満を意味する。
【００５６】
第２の部分透過ミラー１８０は、第２の部分透過層で覆われた平面状のガラス板を含む。第２の部分透過ミラー１８０又は第２の部分透過層の第２の透過率Ｔ２（λ）は、出力する放射又は取得される放射の波長λに依存する。第２の透過率Ｔ２は、５００ｎｍ未満の波長で本質的に０％に等しい。第２の透過率Ｔ２は、約５００ｎｍで急激に増大する。第２の透過率Ｔ２は、５００ｎｍより長い波長に対して本質的に１００％に等しい。第２の透過率Ｔ２は、４５０ｎｍから５５０ｎｍのスペクトル範囲内で１０％未満の値から９０％より大きい値に増大する。第１の及び第２の部分透過ミラー１７８、１８０の両方の吸収率は、無視できる範囲、又は２％未満、例えば１％未満である。
【００５７】
第１の部分透過ミラー１７８は、光路１２４上に配置される。第１の部分透過ミラー１７８において、光路１２４は、第１の部分透過ミラー１７８の法線に対する入射角αを囲む。第２の部分透過ミラー１８０は、第１の部分透過ミラー１７８を通過する取得された放射のために、第１の部分透過ミラー１７８に続いて光路１２４上に配置される。第２の部分透過ミラー１８０において、光路１２４は、第２の透過ミラー１８０の法線に対する入射角βを囲む。図３に示される第３の実施形態において、入射角α及びβは本質的に４５°に等しい。
【００５８】
拡張された実施形態において、一つ又は全ての部分反射ミラー１７８、１８０は回旋可能である。一つ又は二つのアクチュエータは、回旋可能な部分透過ミラー１７８及び１８０のそれぞれに機械的に接続される。アクチュエータのそれぞれは、回旋可能な部分透過ミラーを第１の角度位置及び第２の角度位置の間で回旋させるように適合される。制御装置１４０は、一つ又は複数のアクチュエータを制御するように適合される。第１の角度位置において、（第１の又は第２の）回旋可能な部分透過ミラーは、光路１２４上で取得された放射を第１の光サブブランチに方向付ける。逆も又同様である。第２の角度位置において、（第１の又は第２の）回旋可能な部分透過ミラーは、光路１２４上で取得された放射を第２の光サブブランチに方向付ける。逆も又同様である。異なる眼科ユニット又は異なる眼科サブユニットは、光サブブランチのそれぞれに接続される。これに代わって、第１のサブブランチはビームダンプに接続され、第２のサブブランチは、眼科ユニット１０６、１０８、１１０、１１２のうちの一つ以上に接続される。第１の角度位置において、取得された放射は、ビームダンプに接続された第１のサブブランチに方向付けられる。第１の角度位置は、例えば、取得された放射が高強度の場合に、眼科ユニットのうち一つ以上を保護するための保護状態として機能する。
【００５９】
このように、第３の実施形態による光ブランチカプラ１０４は、光路１２４上で取得された放射のうち、５００ｎｍ未満の波長を有する放射を第１の光ブランチ１１８に、５００ｎｍから７５０ｎｍのスペクトル範囲内の波長を有する放射を第２の光ブランチ１２０に、７５０ｎｍより長い波長を有する放射を第３の光ブランチ１２２にスペクトル的に分割する。
【００６０】
（第３の実施形態に関して上述した）波長依存性の第１の透過率Ｔ１及び第２の透過率Ｔ２によるスペクトル分割は、第１の実施形態又は第２の実施形態によっても実現可能であり、例えば（図１に示される）光インターフェース１３６は、上記ミラー１７８の光透過率及び光反射率と類似して、取得された放射を分割することができる。
【００６１】
図４は、第１の及び第２の実施形態のそれぞれに用いられる光ブランチカプラ１０４の更なる詳細を概略的に図示する。光ブランチカプラ１０４は、３つのガラスプリズム１２８、１３０及び１３２を含む。ガラスプリズム１２８及び１３０の間の第１の光インターフェース１３４は、第１のダイクロイック層を含む。ガラスプリズム１３０及び１３２の間の第２の光インターフェース１３６は、第２のダイクロイック層を含む。第２のダイクロイック層は、第１のスペクトル範囲及び第２のスペクトル範囲において透過性である。第３のスペクトル範囲内の光路１２４上で取得された放射は、第２のダイクロイック層から反射される。第２のダイクロイック層を透過可能なスペクトル範囲の放射成分は、ガラスプリズム１３０に入射する。第１の成分は第２のダイクロイック層から反射される。反射された第１の成分は、第１の光ブランチ１１８を定める。第２の成分は、第１のダイクロイック層（第１の光インターフェース１３４等）を通過する。このように、第２の成分は、第２の光ブランチ１２０を定める。第２のダイクロイック層（第２の光インターフェース１３６等）から反射された第３の成分は、第３の光ブランチ１２２を定める。
【００６２】
図５ａ及び図５ｂは、光ブランチカプラ１０４の代替的なプリズムの形状を概略的に示す。光ブランチカプラ１０４は、４つのガラスプリズム１２８、１２９、１３０及び１３２を含む。光インターフェース１３４、１３５及び１３６は、異なるダイクロイック層を含む。図５ａに示されるように、上記複数の異なるダイクロイック層は、第１のスペクトル範囲内で出力する放射、第２のスペクトル範囲内で出力する放射及び第３のスペクトル範囲内で出力する放射を１本の光路中に合成するように選択された、それぞれ異なるスペクトル透過率及びスペクトル反射率を有する。図５ｂは、それに対応する、１本の光路１２４から取得された放射の３つの異なる光学ブランチ１１８、１２０及び１２２へのスペクトル範囲に応じた分解を示す。
【００６３】
上述の実施形態では３つの光ブランチ１１８、１２０及び１２２の場合について説明されてきたが、図６ａ及び図６ｂは、多様な数の光ブランチのための光ブランチカプラ１０４の斜視図を示す。図６ａの左半分には、（光ブランチカプラ１０４として）多分岐ダイクロイックプリズムが示される。多分岐ダイクロイックプリズムは、３つの光ブランチ１１８、１２０及び１２２を提供する。光ブランチの数は、ダイクロイックプリズムの「チャネル」の数とも呼ばれる。装置１００の縮小された実施形態のため、図６ａの右半分に示されるような、２つの光ブランチ１１８及び１２０を提供するダイクロイックプリズムが用いられる。図６ｂの右半分は、（光ブランチカプラ１０４として）４つの光ブランチ１１８、１２０、１２２及び１２３を提供する多分岐ダイクロイックプリズムを示す。図６ｂの左半分には（光ブランチカプラ１０４として）５つの光ブランチ１１８、１１９、１２０、１２２及び１２３を提供する別の多分岐ダイクロイックプリズムが示される。
【００６４】
光カプラにおける異なる光ブランチの光路長は、それぞれ異なっている。光路長は、ガラスプリズムの又はダイクロイック結晶プリズムの長さ若しくは他の直線的な寸法に依存して、プリズムの形状及び屈折率によって予め決定される。屈折率は、放射の偏光に依存し得る。異なる光路長によって、眼球１０の前部及び背部等の空間的に分離された構造を装置１００によって同時に検出することが可能になる。また、プリズムは、光インターフェース（光インターフェース１３４、１３５及び１３６等）において互いに直接接触する、又は、結合される。これによって、装置１００のコンパクトかつ頑丈な設計が可能になる。
【００６５】
これに加えて、装置１００は、眼科ユニットの一つとして治療ユニットを含むことができる。治療ユニットは、（装置１００の出力する放射として）治療用放射を一つ以上の光ブランチに接続するように適合される。
【００６６】
特に、治療ユニットは、レーザー補助による角膜切削形成術（Ｌａｓｅｒ−Ａｓｓｉｓｔｅｄ  Ｉｎ−Ｓｉｔｕ  Ｋｅｒａｔｏｍｉｌｅｕｓｉｓ）ユニット、すなわちＬＡＳＩＫユニットとすることができる。ＬＡＳＩＫユニットは、レーザー、例えば、屈折矯正手術のために出力する紫外線を生成するように適合されたエキシマレーザーを含む。より具体的には、治療ユニットは、フェムト秒レンティクル抽出（ｆｅｍｔｏｓｅｃｏｎｄ  ｌｅｎｔｉｃｌｅ  ｅｘｔｒａｃｔｉｏｎ）ユニット、すなわちＦＬＥｘユニットとすることができる。ＦＬＥｘユニットは、レーザー、例えば、赤外線又は紫外線を出力するように適合されたフェムト秒レーザーを含む。更に、治療ユニットは、角膜形成又は上皮のアブレーションのために使用されることができる。更なる利点として、他の眼科ユニットは、治療のリアルタイムのモニタリングを実質的に同時に提供することができる。これに代わって、又はこれに加えて、治療ユニットは、エキシマレーザー又はフェムト秒レーザーを含む。
【００６７】
以上の説明から明らかになったように、本装置は、（診断及び／又は治療を含む）複数の異なる眼科技術をよりコンパクトな装置に統合することができる。この装置は、異なる眼科技術による処理を、より速く完了することができる。眼科ユニットによって提供される眼科技術は、異なるスペクトル範囲内の異なる波長で動作する任意の技術を含むことができる。
【図１】
0006027138.tif 000002
【図２】
0006027138.tif 000003
【図３】
0006027138.tif 000004
【図４】
0006027138.tif 000005
【図５ａ】
0006027138.tif 000006
【図５ｂ】
0006027138.tif 000007
【図６ａ】
0006027138.tif 000008
【図６ｂ】
0006027138.tif 000009